(57)【要約】  【課題】  試し書きの時間を短縮し且つオーバーライトした時の再生品質が良好な光ディスク記録方法を提供する。  【解決手段】  記録パワーと消去パワーの比を固定し記録パワーを変化させてテスト信号を光ディスクの試し書き領域に記録し、再生し、パラメータγの変化曲線を用いて最適記録パワーを算出し、算出した最適記録パワーから消去パワーを算出し、算出した最適記録パワーと算出した消去パワーでテスト信号を、光ディスクの試し書き領域に記録し、次に算出した最適記録パワーを固定した記録パワーと消去パワーを変化させた消去パワーでテスト信号を、光ディスクの試し書き領域に重ね記録し、再生し、再生信号から最適消去パワーを算出し、算出した最適記録パワーと算出した最適消去パワーで実記録信号を、光ディスクの記録領域に重ね記録する。【選択図】図２
2006344251.tif 000002
【特許請求の範囲】
【請求項１】
記録パワーと消去パワーの比を固定し前記記録パワーを変化させてテスト信号を光ディスクの試し書き領域に記録し、再生し、パラメータγの曲線を用いて最適記録パワーを算出し、算出した前記最適記録パワーから消去パワーを算出し、算出した前記最適記録パワーと算出した前記消去パワーでテスト信号を、前記光ディスクの試し書き領域に記録し、次に算出した前記最適記録パワーを固定した記録パワーと前記消去パワーを変化させた消去パワーでテスト信号を、前記光ディスクの試し書き領域に重ね記録し、再生し、再生信号から最適消去パワーを算出し、算出した前記最適記録パワーと算出した前記最適消去パワーで実記録信号を、前記光ディスクの記録領域に重ね記録することを特徴とする光ディスク記録方法。
【請求項２】
請求項１記載の光ディスク記録方法において、算出した前記最適記録パワーと算出した前記消去パワーでテスト信号を、前記光ディスクの試し書き領域に記録する前に、算出した前記消去パワーで前記光ディスクの試し書き領域を消去することを特徴とする光ディスク記録方法。
【請求項３】
請求項１または２記載の光ディスク記録方法において、前記消去パワーは前記最適記録パワーに消去比率をかけたパワーであることを特徴とする光ディスク記録方法。
【請求項４】
請求項１記載の光ディスク記録方法において、前記最適消去パワーを算出する際、再生信号からエラーパルスを検出し、検出した前記エラーパルスからエラーパルス２次関数曲線を求め、そのボトムとなる点を前記最適消去パワーとすることを特徴とする光ディスク記録方法。
【請求項５】
請求項４記載の光ディスク記録方法において、前記最適消去パワーに範囲制限を設け、求めた前記点が前記範囲制限を越えた場合は前記範囲制限の上限または下限の点のパワーを、前記最適消去パワーとすることを特徴とする光ディスク記録方法。
【請求項６】
光ピックアップとレーザ制御ドライバと制御部を少なくとも備え、前記制御部で前記レーザ制御ドライバを制御し、前記レーザ制御ドライバで記録パワーと消去パワーの比を固定し前記記録パワーを変化させてテスト信号を前記光ピックアップに伝え、前記光ピックアップで光ディスクの試し書き領域に記録し、再生し、前記制御部で、パラメータγの曲線を用いて最適記録パワーを算出し、算出した前記最適記録パワーから消去パワーを算出し、算出した前記最適記録パワーと算出した前記消去パワーを前記レーザ制御ドライバに伝え、前記レーザ制御ドライバは、算出した前記最適記録パワーと算出した前記消去パワーでテスト信号を前記光ピックアップに伝え、前記光ピックアップで前記光ディスクの試し書き領域に記録し、次に前記レーザ制御ドライバは、算出した前記最適記録パワーを固定した記録パワーと前記消去パワーを変化させた消去パワーでテスト信号を前記光ピックアップに伝え、前記光ピックアップで前記光ディスクの試し書き領域に重ね記録し、再生し、前記制御部で再生信号から最適消去パワーを算出し、算出した前記最適記録パワーと算出した前記最適消去パワーを前記レーザ制御ドライバに伝え、前記レーザ制御ドライバは、算出した前記最適記録パワーと算出した前記最適消去パワーで実記録信号を前記光ピックアップに伝え、前記光ピックアップで前記光ディスクの記録領域に重ね記録することを特徴とする光ディスク記録装置。
【請求項７】
請求項６記載の光ディスク記録装置において、算出した前記最適記録パワーと算出した前記消去パワーでテスト信号を、前記光ディスクの試し書き領域に記録する前に、レーザ制御ドライバは、算出した前記消去パワーを前記光ピックアップに伝え、前記光ピックアップで前記光ディスクの試し書き領域を消去することを特徴とする光ディスク記録装置。
【請求項８】
請求項６または７記載の光ディスク記録装置において、前記消去パワーは前記最適記録パワーに消去比率をかけたパワーであることを特徴とする光ディスク記録装置。
【請求項９】
請求項６記載の光ディスク記録装置において、前記制御部は、前記最適消去パワーを算出する際、再生信号からエラーパルスを検出し、検出した前記エラーパルスからエラーパルス２次関数曲線を求め、そのボトムとなる点を前記最適消去パワーとすることを特徴とする光ディスク記録装置。
【請求項１０】
請求項９記載の光ディスク記録装置において、前記制御部は、前記最適消去パワーに範囲制限を設け、求めた前記点が前記範囲制限を越えた場合は前記範囲制限の上限または下限の点のパワーを、前記最適消去パワーとすることを特徴とする光ディスク記録装置。
【発明の詳細な説明】
【技術分野】
【０００１】
本発明は、重ね記録（オーバーライト）する光ディスク記録方法およびその方法を用いる光ディスク記録装置に関する。
【背景技術】
【０００２】
ＤＶＤ±ＲＷ等の書換型光ディスクに対する高速記録においては、低速記録と同じ形状のマークを形成するため、レーザ光をＨｉｇｈ−Ｐｏｗｅｒ化して短時間照射することで対応している。しかし、高速記録が進むとともにマーク精度を得ることが厳しくなっており、特に４倍速以上でその傾向が顕著となっている。
【０００３】
更に、レーザダイオードや書換型光ディスクの材料のばらつき等も相まって、低速記録したディスクを高速記録でオーバーライトする、あるいは、その逆のケースの場合、以前に形成したマークを完全に消去できず、ジッタが悪くなってエラーレートが高くなる場合が生じた。
【０００４】
このようなオーバーライトを改善する公知の技術としては、
オーバーライト時に光ディスクに記録されている信号の変調度を測定し、予め設定された変調度と比較し、記録波形あるいは記録方法を変更する。(特許文献１：特開２００５-１１３９１号公報)
オーバーライト時に旧データ記録部を、消去パワーを変化させて照射し、再生信号中の雑音レベルを最小とする消去パワーを最適消去パワーとして設定する。(特許文献２：特開２００４-２７３０７４号公報)
等が知られているが、オーバーライト時にその都度修正するに留まっていた。
【０００５】
それに対しＤＶＤ±ＲＷの書換型光ディスクにおいては、光ディスクの試し書き領域において、パラメータγ方式による最適記録パワー（Ｏｐｔ  Ｐｗ）を算出する試し書き方法が実行されている。
【０００６】
具体的には、記録パワーと消去パワーの比を固定し記録パワーを変化させてテスト信号を光ディスクの試し書き領域に記録する。
【０００７】
次に再生し、再生信号から、図３に示すような、記録パワーの変化に対する変調度ｍの曲線の特性を求め、次に変調度ｍを微分したパラメータγの曲線の特性を求め、次にパラメータγの曲線中での、メモリに予め記憶されているγ（目標）値に対する記録パワー（目標）値を求め、この記録パワー（目標）値に、メモリに予め記憶されている係数ρをかけることで、最適記録パワー（Ｏｐｔ  Ｐｗ）を算出する。
【０００８】
そして算出した最適記録パワー（Ｏｐｔ  Ｐｗ）と消去パワーで実記録信号を光ディスクの試し書き領域に記録する。
【０００９】
また、最近のＤＶＤ−ＲＡＭの書換型光ディスクにおいては、β方式による試し書きにてオーバーライト特性を改善する記録方法を実行している。
【００１０】
まず、記録パワーと消去パワーの比を固定し記録パワーと消去パワーを変化させてテスト信号を光ディスクの試し書き領域に記録した後に再生し、再生信号からエラーパルス（ジッタ）を最小とする記録パワーと消去パワーを求める。
【００１１】
次に、上記で求めた記録パワーを固定し消去パワーを変化させながらテスト信号を光ディスクの試し書き領域に記録した後に再生し、再生信号からエラーパルス（ジッタ）を最小とする最適消去パワーを求める。
【００１２】
更に、上記で求めた最適消去パワーを固定し記録パワーを変化しながらテスト信号を光ディスクの試し書き領域に記録した後に再生し、再生信号からエラーパルス（ジッタ）を最小とする最適記録パワーを求める。
【００１３】
そして求めた最適記録パワーと最適消去（イレーズ）パワーで実記録信号を光ディスクの記録領域に重ね記録する。
【００１４】
【特許文献１】特開２００５-１１３９１号公報
【特許文献２】特開２００４-２７３０７４号公報
【発明の開示】
【発明が解決しようとする課題】
【００１５】
ＤＶＤ±ＲＷの書換型光ディスクにおける試し書き方法では、最適消去パワーを求めないので、課題があった。すなわち、別の光ディスク装置で記録した光ディスクを、本光ディスク装置に装着して、その光ディスクに記録信号をオーバーライトする場合、別の光ディスク装置で記録した際の最適記録パワー（Ｏｐｔ  Ｐｗ）が大きいと、本光ディスク装置でその光ディスクに記録信号をオーバーライトした際に、先に記録した記録信号の消し残りが生じてしまい、したがって再生品質が悪くなってしまう課題があった。
【００１６】
また最近のＤＶＤ−ＲＡＭの書換型光ディスクにおける試し書き方法では、複雑なプロセスを用いるので、試し書きに時間が掛かり過ぎるという課題があった。
【００１７】
本発明の目的は、試し書きの時間を短縮し且つオーバーライトした時の再生品質が良好な光ディスク記録方法および光ディスク記録装置を提供することにある。
【課題を解決するための手段】
【００１８】
本発明の光ディスク記録方法は、記録パワーと消去パワーの比を固定し前記記録パワーを変化させてテスト信号を光ディスクの試し書き領域に記録し、再生し、パラメータγの曲線を用いて最適記録パワーを算出し、算出した前記最適記録パワーから消去パワーを算出し、算出した前記最適記録パワーと算出した前記消去パワーでテスト信号を、前記光ディスクの試し書き領域に記録し、次に算出した前記最適記録パワーを固定した記録パワーと前記消去パワーを変化させた消去パワーでテスト信号を、前記光ディスクの試し書き領域に重ね記録し、再生し、再生信号から最適消去パワーを算出し、算出した前記最適記録パワーと算出した前記最適消去パワーで実記録信号を、前記光ディスクの記録領域に重ね記録することを特徴とする。
【００１９】
また本発明の光ディスク記録方法は、上記記載において、算出した前記最適記録パワーと算出した前記消去パワーでテスト信号を、前記光ディスクの試し書き領域に記録する前に、算出した前記消去パワーで前記光ディスクの試し書き領域を消去することを特徴とする。
【００２０】
上記記載の光ディスク記録方法において、前記消去パワーは前記最適記録パワーに消去比率をかけたパワーであることを特徴とする。
【００２１】
また上記記載の光ディスク記録方法において、前記最適消去パワーを算出する際、再生信号からエラーパルスを検出し、検出した前記エラーパルスからエラーパルス２次関数曲線を求め、そのボトムとなる点を前記最適消去パワーとすることを特徴とする。
【００２２】
また上記記載の光ディスク記録方法において、前記最適消去パワーに範囲制限を設け、求めた前記点が前記範囲制限を越えた場合は前記範囲制限の上限または下限の点のパワーを、前記最適消去パワーとすることを特徴とする。
【００２３】
さらに、本発明の光ディスク装置は、光ピックアップとレーザ制御ドライバと制御部を少なくとも備え、前記制御部で前記レーザ制御ドライバを制御し、前記レーザ制御ドライバで記録パワーと消去パワーの比を固定し前記記録パワーを変化させてテスト信号を前記光ピックアップに伝え、前記光ピックアップで光ディスクの試し書き領域に記録し、再生し、前記制御部で、パラメータγの曲線を用いて最適記録パワーを算出し、算出した前記最適記録パワーから消去パワーを算出し、算出した前記最適記録パワーと算出した前記消去パワーを前記レーザ制御ドライバに伝え、前記レーザ制御ドライバは、算出した前記最適記録パワーと算出した前記消去パワーでテスト信号を前記光ピックアップに伝え、前記光ピックアップで前記光ディスクの試し書き領域に記録し、次に前記レーザ制御ドライバは、算出した前記最適記録パワーを固定した記録パワーと前記消去パワーを変化させた消去パワーでテスト信号を前記光ピックアップに伝え、前記光ピックアップで前記光ディスクの試し書き領域に重ね記録し、再生し、前記制御部で再生信号から最適消去パワーを算出し、算出した前記最適記録パワーと算出した前記最適消去パワーを前記レーザ制御ドライバに伝え、前記レーザ制御ドライバは、算出した前記最適記録パワーと算出した前記最適消去パワーで実記録信号を前記光ピックアップに伝え、前記光ピックアップで前記光ディスクの記録領域に重ね記録することを特徴とする。
【００２４】
また本発明の光ディスク記録装置は、上記記載において、算出した前記最適記録パワーと算出した前記消去パワーでテスト信号を、前記光ディスクの試し書き領域に記録する前に、レーザ制御ドライバは、算出した前記消去パワーを前記光ピックアップに伝え、前記光ピックアップで前記光ディスクの試し書き領域を消去することを特徴とする。
【００２５】
上記記載の光ディスク記録装置において、前記消去パワーは前記最適記録パワーに消去比率をかけたパワーであることを特徴とする。
【００２６】
また上記記載の光ディスク記録装置において、前記制御部は、前記最適消去パワーを算出する際、再生信号からエラーパルスを検出し、検出した前記エラーパルスからエラーパルス２次関数曲線を求め、そのボトムとなる点を前記最適消去パワーとすることを特徴とする。
【００２７】
また上記記載の光ディスク記録装置において、前記制御部は、前記最適消去パワーに範囲制限を設け、求めた前記点が前記範囲制限を越えた場合は前記範囲制限の上限または下限の点のパワーを、前記最適消去パワーとすることを特徴とする。
【発明の効果】
【００２８】
本発明によれば、試し書きのための光ディスクへの記録再生回数が少なくてすむので、状来に比べ試し書きの時間を短縮することができ、それでいて最適消去パワーを算出してオーバーライトするので、オーバーライトした時の再生品質が良好な光ディスク記録方法および光ディスク記録装置を得ることができる。
【発明を実施するための最良の形態】
【００２９】
以下、図面に基づき本発明による実施の形態について説明する。
【００３０】
図１は、本発明による光ディスク記録方法を用いる光ディスク装置の実施の形態の構成図である。
【００３１】
図１において、１１はスピンドルモータ、１２はスピンドルモータ１１に装着された光ディスク、１３は光ディスク１２の半径方向に移動して光ディスク１２にテスト信号や実記録信号を記録したり再生したりする光ピックアップ、１４はスピンドルモータ１１を回転駆動するためのスピンドルモータ制御ドライバ、１５はレーザ制御ドライバ、１６はテスト信号や実記録信号を信号処理してレーザ制御ドライバ１５に供給するための記録回路、１７は光ピックアップ１３で再生した信号を再生処理するための再生回路、１８は制御ユニット（ＭＰＵ）、１９はメモリである。
【００３２】
外部から試し書き命令が指示されると、制御ユニット（ＭＰＵ）１８はこの指示をスピンドルモータ制御ドライバ１４に伝え、スピンドルモータ制御ドライバ１４がスピンドルモータ１１を所定速度で回転することで、光ディスク１２を回転させる。
【００３３】
また制御ユニット（ＭＰＵ）１８はレーザ制御ドライバ１５に指示し、記録パワーと消去パワーで、テスト信号を光ピックアップ１３に伝え、光ディスク１２の試し書き領域に記録し、再生し、制御ユニット（ＭＰＵ）１８で、最適記録パワーを算出し、また最適消去パワーを算出して、レーザ制御ドライバ１５に伝える。
【００３４】
次に、制御ユニット（ＭＰＵ）１８はレーザ制御ドライバ１５に指示し、レーザ制御ドライバ１５は、算出した最適記録パワーおよび最適消去パワーで実記録信号を光ピックアップ１３に伝え、光ピックアップ１３は光ディスク１２の記録領域に重ね記録する。
【００３５】
図２は、図１の構成図における試し書きの動作フォローチャートの例を示す図である。
【００３６】
ステップＳ１においては、外部から試し書き命令が指示されると、まずステップＳ１において、光ディスク１２の試し書き領域において、通常のパラメータγ方式による最適記録パワー（Ｏｐｔ  Ｐｗ）を算出する。
【００３７】
すなわち、外部から試し書き命令が指示されると、制御部（ＭＰＵ）１８でレーザ制御ドライバ１５を制御し、レーザ制御ドライバ１５で記録パワーと消去パワーの比を固定し記録パワーを変化させてテスト信号を光ピックアップ１３に伝え、光ピックアップ１３で光ディスク１２の試し書き領域に記録する。
【００３８】
次に再生し、制御部（ＭＰＵ）１８で、再生信号から、図３に示すような、記録パワーの変化に対する変調度ｍの曲線の特性を求め、次に変調度ｍを微分したパラメータγの曲線の特性を求め、次にパラメータγの曲線中での、メモリ１９に予め記憶されているγ（目標）に対する記録パワー（目標）を求め、この記録パワー（目標）に、メモリに予め記憶されている係数ρをかけることで、パラメータγ方式による最適記録パワー（Ｏｐｔ  Ｐｗ）を算出する。
【００３９】
次にステップＳ２においては、制御部（ＭＰＵ）１８で、消去パワー（Ｐｅ）を算出する。
【００４０】
ここで消去パワーは、算出した最適記録パワー（Ｏｐｔ  Ｐｗ）に、メモリ１９に予め記憶されている消去比率（イレーズレシオ）ε（％）をかけることにより算出する。なお、消去比率（イレーズレシオ）εはライトストラテジにて定義されている。
【００４１】
ステップＳ３においては、制御部（ＭＰＵ）１８はレーザ制御ドライバ１５を経由して算出した消去パワー（Ｐｅ）を光ピックアップ１３に伝え、光ピックアップ１３で光ディスク１２の試し書き領域を消去する。
【００４２】
ステップＳ４においては、制御部（ＭＰＵ）１８は算出した最適記録パワー（Ｏｐｔ  Ｐｗ）と算出した消去パワー（Ｐｅ）をレーザ制御ドライバ１５に伝え、レーザ制御ドライバ１５は、算出した最適記録パワーと算出した消去パワーでテスト信号（記録パルスパターンは３Ｔ（周期）から１１Ｔの混在パターン）を光ピックアップ１３に伝え、光ピックアップ１３で光ディスク１０２の試し書き領域に記録する。
【００４３】
ステップＳ３は必須ではないが、ステップＳ４は次のステップＳ５の重ね記録（オーバーライト）のための下地作りであり、必須である。
【００４４】
次にステップＳ５においては、レーザ制御ドライバ１５は、算出した最適記録パワー（Ｏｐｔ  Ｐｗ）を固定した記録パワー（Ｐｗｉ）と消去パワー（Ｐｅ）を１６段階に変化させた消去パワー（Ｐｅｉ）でテスト信号を光ピックアップ１３に伝え、光ピックアップ１３で光ディスク１２の試し書き領域に重ね記録（オーバーライト）する。
【００４５】
すなわち、図４に示すように、最適記録パワー（Ｏｐｔ  Ｐｗ）を記録パワーＰｗｉとして固定、それに対して上記消去パワー（Ｐｅ）は段階７を中心に１６段階、上記消去比率（イレーズレシオ）εの２（％）単位で変化させたパワーを新たな消去パワー（Ｐｅｉ）とし、記録パワーＰｗｉと消去パワー（Ｐｅｉ）でテスト信号（記録パルスパターンは６Ｔ，７Ｔのみの混在パターン）を光ディスク１２の試し書き領域に記録する。
【００４６】
次にステップＳ６においては、光ピックアップ１３で記録した光ディスク１２の試し書き領域を再生し、制御部（ＭＰＵ）１８で、再生信号から最適消去パワー（Ｏｐｔ  Ｐe）を求める。
【００４７】
すなわち、再生信号から図５に示すようにエラーパルス（ジッタ）ａ１（太線）を検出し、検出したエラーパルスａ１からエラーパルス２次関数曲線ｂ１（細線）を求め、そのボトム（底）となる点ｃ１を最適消去パワー（Ｏｐｔ  Ｐe）として算出する。
【００４８】
但し、消去比率（イレーズレシオ）εによって最適消去パワー（Ｏｐｔ  Ｐe）の範囲制限ｄを設ける。具体的には、
最適記録パワー（Ｏｐｔ  Ｐｗ）＊（ε−５）から（Ｏｐｔ  Ｐｗ）＊（ε＋５）の間を、最適消去パワー（Ｏｐｔ  Ｐe）の範囲制限ｄとする。
【００４９】
したがって、再生信号から図５に示すようにエラーパルスａ２（太線）を検出し、検出したエラーパルスａ２からエラーパルス２次関数曲線ｂ２（細線）を求め、そのボトム（底）となる点ｃ２が範囲制限ｄを越えた場合は、最適消去パワー（Ｏｐｔ  Ｐe）を、範囲制限ｄの上限のｅ点のパワーとする。
【００５０】
ここで、最適消去パワー（Ｏｐｔ  Ｐe）に範囲制限ｄを設けたのは、以下の理由による。
【００５１】
すなわち、消去パワー（Ｐｅ）の値をその前後に変化させて消去パワー調整する時に消去パワーを下げすぎると、下地のデータが残った状態でオーバーライトする、すなわち、下地の記録マークと消去パワー調整する時の記録マークとが重なり、正しいマーク（消去パワー調整で記録しようとしているマーク）が形成されない。
【００５２】
また、逆に消去パワーを上げすぎると、消去パワー調整時の記録マークが、記録しているそばから消されてしまい、やはり正しいマークが形成されない。
【００５３】
したがって、上記のように、正しいマークが形成されていない状態のデータは、調整結果算出に使用するデータから除外することが望ましいからである。
【００５４】
次に、制御部（ＭＰＵ）１８は、算出した最適記録パワーと算出した最適消去パワーをレーザ制御ドライバ１５に伝え、レーザ制御ドライバ１５は算出した最適記録パワーと算出した最適消去パワーで実記録信号を光ピックアップ１３に伝え、光ピックアップ１３で光ディスク１２の記録領域に重ね記録する。
【００５５】
本実施の形態によれば、試し書きのための光ディスクへの記録再生回数が少なくてすむので、状来に比べ試し書きの時間を短縮することができ、それでいて最適消去パワーを算出してオーバーライトするので、オーバーライトした時の再生品質が良好な光ディスク記録方法および光ディスク記録装置を得ることができる。
【図面の簡単な説明】
【００５６】
【図１】本発明による光ディスク記録方法を用いる光ディスク装置の実施の形態の構成図である。
【図２】図１の構成図における試し書きの動作フォローチャートの例を示す図である。
【図３】再生信号から求めた変調度ｍおよびこの変調度ｍを微分したパラメータγの特性図である。
【図４】最適記録パワー（Ｏｐｔ  Ｐｗ）、消去パワー（Ｐｅ）と記録パワーＰｗｉ、消去パワー（Ｐｅｉ）の関係を示す図である。
【図５】再生信号から最適消去パワーを算出するのを説明する図である。
【符号の説明】
【００５７】
１１…スピンドルモータ
１２…光ディスク
１３…光ピックアップ
１４…スピンドルモータ制御ドライバ
１５…レーザ制御ドライバ
１６…記録回路
１７…再生回路
１８…制御ユニット（ＭＰＵ）
１９…メモリ。
【図１】
2006344251.tif 000003
【図２】
2006344251.tif 000004
【図３】
2006344251.tif 000005
【図４】
2006344251.tif 000006
【図５】
2006344251.tif 000007